(57)【要約】【課題】盤本体とベースとの継ぎ目にスカートを取り付けることで、その継ぎ目の内部へ雨水等が浸入することを防止してベースの腐食を防止する。【解決手段】操作用又は制御用直立型の盤本体５１の基礎部５２と、ベース５３との両方を被覆する程度の幅を有する板状の部材から成るスカート本体２と、スカート本体２を、盤本体５１の基礎部５２とベース５３に貼り付けるシール剤３とから成り、これを盤本体５１の基礎部５２を、ベース５３に固定した際の継ぎ目５４に貼り付ける。【選択図】図１
2007312510.tif 000002
【特許請求の範囲】
【請求項１】
操作用又は制御用直立型の盤本体（５１）の基礎部（５２）を、ベース（５３）に固定した際の継ぎ目（５４）に貼り付ける電気盤・制御盤用腐食防止スカート（１）であって、
前記腐食防止用スカート（１）は、
前記盤本体（５１）の基礎部（５２）と、前記ベース（５３）との両方を被覆する程度の幅を有する板状の部材から成るスカート本体（２）と、
前記スカート本体（２）を、前記盤本体（５１）の基礎部（５２）とベース（５３）に貼り付けるシール剤（３）と、から成る、ことを特徴とする電気盤・制御盤用腐食防止スカート。
【請求項２】
前記スカート本体（２）は、略長方形状の板材である、ことを特徴とする請求項１の電気盤・制御盤用腐食防止スカート。
【請求項３】
前記スカート本体（２）は、横断面が略Ｌ字形状の長尺な板材である、ことを特徴とする請求項１の電気盤・制御盤用腐食防止スカート。
【請求項４】
前記スカート本体（２）は、盤本体（５１）の基礎部（５２）コーナーの継ぎ目（５４）に貼り付け得るように、縦断面が略Ｌ字形状の板材である、ことを特徴とする請求項１の電気盤・制御盤用腐食防止スカート。
【請求項５】
前記スカート本体（２）は、盤本体（５１）の基礎部（５２）のコーナーの継ぎ目（５４）を包むように底板と２枚の側板とを接合形成したものである、ことを特徴とする請求項１の電気盤・制御盤用腐食防止スカート。
【請求項６】
前記スカート本体（２）は、該スカート本体（２）の裏面に塗布したシール剤（３）がその周縁部から外周への食み出しにくいように、その周縁部の板厚を厚くして凸条（１１）を形成した、ことを特徴とする請求項１の電気盤・制御盤用腐食防止スカート。
【請求項７】
前記シール剤（３）は接着剤である、ことを特徴とする請求項１の電気盤・制御盤用腐食防止スカート。
【請求項８】
前記シール剤（３）は粘着剤である、ことを特徴とする請求項１の電気盤・制御盤用腐食防止スカート。
【発明の詳細な説明】
【技術分野】
【０００１】
本発明は、電気盤・制御盤等の設備の腐食防止技術に係り、特に電気盤・制御盤を屋外においてベースに固定し、その固定した継ぎ目に雨水の浸入による腐食を防止する電気盤・制御盤用腐食防止スカートに関するものである。
【背景技術】
【０００２】
電源装置、リレー、制御装置等の電気品を一体として収納し、これを外装板で被覆したものを電気盤・制御盤といい、各装置に付属して設置される。このような電気盤・制御盤を屋外において設置するときは、図６に示すように、盤本体５１を固定する基礎部５２を、ベース５３に矢視するように例えばアンカーボルト等で固定し、ベース５３と盤本体５１を締め付けて固定している。図７はベース５３と基礎部５２との接する面積が異なるために、基礎板５５を介在させたものもある。
【０００３】
ベース５３上に屋外機固定用アンカーボルトを用いて屋外機器を固定する技術が提案されている。例えば、特許文献１の特開２００４−１７１０６３号公報「屋外機器の床面固定部材」のように、防水処理を施した床面に屋外機器を据え置きするための該機器の脚部と床面との間に介装される固定 部材であって、該固定 部材が、少なくとも床面接触部に針入強度Ｈｓが１０〜４０の軟質粘着性ゴム体を含むことを特徴とする屋外機器 の床面固定部材が提案されている。この固定部材は、脚部を支持するための面域を有する支持体を備え、支持体には、床面接触部として、ゴム体から成り且つ該床面と接触する接触部を有する突起部が設けられているものである。
【０００４】
この固定部材では、防水処理を施した滑りやすい床面に屋外機器を据え置きしても、強風の際の滑り移動を防止することができる。また、固定部材に複数ないし多数の突起部の形成により有効に滑り移動を防止することができる。
【特許文献１】特開２００４−１７１０６３号公報
【発明の開示】
【発明が解決しようとする課題】
【０００５】
特許文献１では、コンクリート面に屋外機器を載置するだけで、滑りにくく安定に載置することができる。しかし、屋外に設置された盤は、設置当初は塗料の皮膜により腐食されることはない。風雨、振動等によってベースと盤を固定している継ぎ目部分が傷むと共に雨水の浸入が起こり、腐食が進行する。一旦腐食が始まると水分は毛細管現象と相俟って継ぎ目部の内部に水分が滞留し易くなり腐食の進行に拍車をかけるという問題を有していた。
【０００６】
図６又は図７に示すように、盤本体５１の外装は、発錆しても下地に相当なダメージがない限り、再塗装を行なえば処置できる。しかし、べ−ス５３については、その発見が遅れ継ぎ目５４の全体に錆が発生すると盤本体５１が浮き上がり、ねじれが顕著になり、最悪の場合は倒壊することもある。また、基礎部５２とべ−ス５３との継ぎ目５４部の発錆は外観からではその腐食状況を判断しにくく、手遅れになる場合が多いという問題を有していた。同様に図７に示すような基礎部５２と基礎板５５との継ぎ目５４にも腐食が発生しやすい。
特に、腐食性ガスが滞留しやすい現場や海岸線で塩害の影響を受けやすい地域であると更に顕著になる。現在，継ぎ目５４部やベース５３と基礎部５２の間にシール材（図示していない）を塗布することもあるが万全な対策ではなかった。
【０００７】
本発明は、かかる問題点を解決するために創案されたものである。すなわち、本発明の目的は、盤本体とベースとの継ぎ目にスカートを取り付けることで、その継ぎ目の内部へ雨水等が浸入することを防止してベースの腐食を防止することができる電気盤・制御盤用腐食防止スカートを提供することにある。
【課題を解決するための手段】
【０００８】
本発明によれば、操作用又は制御用直立型の盤本体（５１）の基礎部（５２）を、ベース（５３）に固定した際の継ぎ目（５４）に貼り付ける電気盤・制御盤用腐食防止スカート（１）であって、前記腐食防止用スカート（１）は、前記盤本体（５１）の基礎部（５２）と、前記ベース（５３）との両方を被覆する程度の幅を有する板状の部材から成るスカート本体（２）と、前記スカート本体（２）を、前記盤本体（５１）の基礎部（５２）とベース（５３）に貼り付けるシール剤（３）と、から成る、ことを特徴とする電気盤・制御盤用腐食防止スカートが提供される。
【０００９】
前記スカート本体（２）は、略長方形状の板材又は横断面が略Ｌ字形状の長尺な板材で製造することができる。
前記スカート本体（２）は、盤本体（５１）の基礎部（５２）コーナーの継ぎ目（５４）に貼り付け得るように、縦断面が略Ｌ字形状の板材で製造することができる。
前記スカート本体（２）には、盤本体（５１）の基礎部（５２）のコーナーの継ぎ目（５４）を包むように底板と２枚の側板とを接合形成したものを用いることができる。
前記スカート本体（２）には、該スカート本体（２）の裏面に塗布したシール剤（３）がその周縁部から外周への食み出しにくいように、その周縁部の板厚を厚くして凸条（１１）を形成したものを用いることができる。
【００１０】
前記シール剤（３）には接着剤又は粘着剤を用いることができる。
【発明の効果】
【００１１】
上述したように、本発明では、盤本体（５１）とベース（５３）との継ぎ目（５４）に、雨水等の浸入を防止する腐食防止用スカート（１）を貼り付けたので、この継ぎ目（５４）の内部へ雨水等が浸入してベース（５３）が腐食することを防止することができる。盤本体（５１）の基礎部（５２）コーナー用のスカート本体（２）を用いれば、コーナーの継ぎ目（５４）における雨水等の浸入を防止することができる。
【００１２】
スカート本体（２）の裏面に塗布したシール剤（３）がその周縁部から外周への食み出しにくいように、その周縁部の板厚を厚くして凸条（１１）を形成したスカート本体（２）は、スカート本体（２）を継ぎ目（５４）に貼り付ける際に、余分なシール剤（３）がこの凸条（１１）で邪魔されて、少量しか食み出さず、腐食防止用スカート（１）の美観を害すことがない。
【発明を実施するための最良の形態】
【００１３】
本発明は、操作用又は制御用直立型の盤本体の基礎部を、ベースに固定した際の継ぎ目部分に貼り付ける電気盤・制御盤用腐食防止スカートである。この腐食防止用スカートは、盤本体の基礎部と、ベースとの両方を被覆する程度の幅を有する板状の部材から成るスカート本体と、スカート本体と、盤本体の基礎部とベースとを貼り付けるシール剤とから成る。
【実施例１】
【００１４】
以下、本発明の好ましい実施の形態を図面を参照して説明する。
図１は実施例１の電気盤・制御盤用腐食防止スカートを示すものであり、（ａ）は側面用の斜視図、（ｂ）はコーナー用の斜視図である。図２は実施例１のスカートを盤本体の基礎部とベースとの継ぎ目に貼り付けた状態を示す側面図である。
実施例１の腐食防止用スカート１は、操作用又は制御用直立型の盤本体５１の基礎部５２を、ベース５３に固定した際の継ぎ目５４に貼り付けるものである。この腐食防止用スカート１は、盤本体５１の基礎部５２と、ベース５３との両方を被覆する程度の幅を有する板状の部材から成るスカート本体２と、このスカート本体２を、盤本体５１の基礎部５２とベース５３に貼り付けるシール剤３とから成る。
【００１５】
実施例１では、ベース５３の上底面と基礎部５２の底面との接する面積が異なるために、基礎板５５を介在させたものを示す。スカート本体２は、図１（ａ）に示すように、横断面が略Ｌ字形状の長尺な板材であり、そのままベース５３と基礎部５２との継ぎ目５４に貼り付けるものである。このスカート本体２は、例えば合成樹脂製の板材が好ましい。なお、錆びにくい性質を有するものであれば、ステンレス材や他の合金素材を用いることができる。
【００１６】
このように構成したスカート本体２は、図２に示すように、盤本体５１とベース５３との継ぎ目５４に、スカート本体２裏面のシール剤３を貼着する。このスカート本体２と、シール剤３により、継ぎ目５４内への雨水等の浸入を防止することができる。即ち、この継ぎ目５４の内部へ雨水等が浸入してベース５３が腐食することを防止することができる。シール剤３は接着剤に代えて粘着剤を使用することも可能である。
【００１７】
実施例１のコーナー用のスカート本体２は、図１（ｂ）に示すように、盤本体５１の基礎部５２のコーナーの継ぎ目５４を包むように底板と２枚の側板とを接合形成したものである。このコーナー用のスカート本体２も、合成樹脂製の板材又はステンレス材や他の合金素材を用いる。
【実施例２】
【００１８】
図３は実施例２の電気盤・制御盤用腐食防止スカートを示すものであり、（ａ）は側面用の斜視図、（ｂ）はコーナー用の斜視図である。図４は実施例２のスカートを盤本体の基礎部とベースとの継ぎ目に貼り付けた状態を示す側面図である。
実施例２では、ベース５３の上底面と基礎部５２の底面との接する面積が同じで、継ぎ目５４が面一状態のものである。実施例２のスカート本体２は、盤本体５１の基礎部５２コーナーの継ぎ目５４に貼り付け得るように、略長方形状の板材である。実施例２のスカート本体２も、実施例１と同様に、スカート本体２裏面のシール剤３を貼着して、継ぎ目５４に貼り付ける。実施例２のスカート本体２も、合成樹脂製又はステンレス材や他の合金素材を用いる。
【００１９】
実施例２のコーナー用のスカート本体２は、図３（ｂ）に示すように、盤本体５１の基礎部５２コーナーの継ぎ目５４に貼り付け得るように、縦断面が略Ｌ字形状の板材である。
【実施例３】
【００２０】
図５は実施例３のスカート本体を示すものであり、（ａ）は継ぎ目に貼り付ける前の状態の側断面図、（ｂ）は貼り付けた後の状態の側断面図である。
スカート本体２は単純な板材以外に、実施例３のように、スカート本体２の裏面に塗布したシール剤３がその周縁部から外周への食み出しにくいように、その周縁部の板厚を厚くして凸条１１を形成したものでもよい。このようにその周縁部の板厚を厚くして凸条１１を形成したスカート本体２１は、スカート本体２１を継ぎ目５４に貼り付ける際に、余分なシール剤３がこの凸条１１で邪魔されて、少量しか食み出さず、腐食防止スカート１の美観を害することがない。
【００２１】
なお、本発明は上述した発明の実施の形態に限定されず、盤本体５１とベース５３との継ぎ目５４に腐食防止スカート１を取り付けることで、その継ぎ目５４の内部への雨水等の浸入を防止してベース５３の腐食を防止することができる構造であれば、図示したような構成に限定されず、本発明の要旨を逸脱しない範囲で種々変更できることは勿論である。
【産業上の利用可能性】
【００２２】
本発明の電気盤・制御盤用腐食防止スカートは、電源装置、リレー、制御装置等の電気品を収納した電気盤・制御盤に利用できるだけでなく、屋外に設置する機器・設備類であれば、そのベースの腐食防止に利用することができる。
【図面の簡単な説明】
【００２３】
【図１】実施例１の電気盤・制御盤用腐食防止スカートを示すものであり、（ａ）は側面用の斜視図、（ｂ）はコーナー用の斜視図である。
【図２】実施例１のスカートを盤本体の基礎部とベースとの継ぎ目に貼り付けた状態を示す側面図である。
【図３】実施例２の電気盤・制御盤用腐食防止スカートを示すものであり、（ａ）は側面用の斜視図、（ｂ）はコーナー用の斜視図である。
【図４】実施例２のスカートを盤本体の基礎部とベースとの継ぎ目に貼り付けた状態を示す側面図である。
【図５】実施例３のスカート本体を示すものであり、（ａ）は継ぎ目に貼り付ける前の状態の側断面図、（ｂ）は貼り付けた後の状態の側断面図である。
【図６】従来の屋外機器・設備類の盤本体をベースに設置する状態を示すものであり、（ａ）は盤本体の基礎部をベースに設置する説明図、（ｂ）は盤本体の基礎部をベースに設置した後の説明図である。
【図７】従来の屋外機器・設備類の盤本体をベースに設置する他の状態を示すものであり、（ａ）は盤本体の基礎部をベースに設置する説明図、（ｂ）は盤本体の基礎部をベースに設置した後の説明図である。
【符号の説明】
【００２４】
１  腐食防止用スカート
２  スカート本体
３  シール剤
１１  凸条
５１  盤本体
５２  基礎部
５３  ベース
５４  継ぎ目
2007312510.tif 000003
2007312510.tif 000004
2007312510.tif 000005
【図１】
2007312510.tif 000006
【図２】
2007312510.tif 000007
【図３】
2007312510.tif 000008
【図４】
2007312510.tif 000009
【図５】
2007312510.tif 000010
【図６】
2007312510.tif 000011
【図７】
2007312510.tif 000012